(57)【要約】【課題】この発明は、複合容器において、内外の部材を簡易な手段により接合できるようにすることを課題とするものである。【解決手段】生分解性素材の外側部材１と生分解性素材の内側部材２とを嵌め合わせて構成し、嵌め合わせ面において前記外側部材１及び内側部材２の双方又は何れか一方にメッシュ状凹凸を形成して複合容器としたものである。前記生分解素材には、生分解プラスチック、パルプ素材などが含まれる。【選択図】  図１
2004331122.tif 000002
【特許請求の範囲】
【請求項１】
生分解性素材の外側部材と生分解性素材の内側部材とを嵌め合わせてなり、嵌め合わせ面において前記外側部材及び内側部材の双方又は何れか一方にメッシュ状凹凸を形成した、複合容器
【請求項２】
パルプモールド製の外側部材とパルプモールド製の内側部材とを嵌め合わせてなり、嵌め合わせ面において外側部材のメッシュ状面と内側部材のメッシュ状面とを接触させた、パルプモールド容器
【請求項３】
内側容器の口部にはフランジが形成され、外側容器の口縁は前記フランジの下面に当接した、請求項１記載のパルプモールド容器
【請求項４】
外側部材は、底部に凸部を有するものとした、請求項１又は２に記載のパルプモールド容器
【請求項５】
パルプは、非木質系パルプとした、請求項１ないし３の何れかに記載のパルプモールド容器
【発明の詳細な説明】
【０００１】
【産業上の利用分野】
この発明は、食品ゴミの削減に寄与し得る容器を得ることを課題とするものである。
【０００２】
【従来の技術】
従来、複合容器は多種提案されている。
例えば、特許第２８６４２３０号は、ケナフ全茎パルプを原料としてフッ素樹脂を添加することによって耐油、耐水性を向上させたものであるが、１枚のシートとして成型されるので、表と裏に対応した凹凸が表れるため、糸尻のついた容器を得ることができない。
また、二重容器として係る問題を解決したものとして、例えば特開２００２−１２８０７５が提案されているが、内側部材と外側部材との接合は、内外の部材を重ね合わせてプレスして加熱・乾燥する方法であるとか、内外の部材に水を浸透させて乾燥させるなどの方法が提示されている。
【０００３】
【発明が解決しようとする課題】
この発明は、複合容器において、内外の部材を簡易な手段により接合できるようにすることを課題とするものである。
【０００４】
【課題を解決するための手段】
請求項１の発明は、生分解性素材の外側部材と生分解性素材の内側部材とを嵌め合わせてなり、嵌め合わせ面において前記外側部材及び内側部材の双方又は何れか一方にメッシュ状凹凸を形成して複合容器としたものである。
前記生分解素材には、生分解プラスチック、パルプ素材などが含まれる。
請求項２以下の発明は、生分解性素材をパルプとしたものであり、パルプモールド製の外側部材とパルプモールド製の内側部材とを嵌め合わせ、嵌め合わせ面において外側部材のメッシュ状面と内側部材のメッシュ状面とを接触させて構成する。
請求項３の発明は、内側容器の口部にフランジを形成し、外側容器の口縁は前記フランジの下面に当接させたものであって、接合状態が強固になる。
請求項４の発明は、前記外側部材は、底部に凸部を有するものとしたものであり、請求項４の発明は、パルプとして非木質系パルプを用いたものである。
【０００５】
【作用】
この発明は、前記メッシュ状の凹凸によって得られる摩擦を利用して内外の部材を接合するものである。
特に、パルプモールドは、成型時に原材料の水分を蒸発させる必要がある。そのために成形型の内外何れか一方はメッシュとして蒸気抜きができるようにしなければならない。したがって、パルプモールドは、内外何れかの面は平滑面とはならず、メッシュ状の凹凸を有している。
【０００６】
ずなわち、外側部材の内側面をメッシュ状面とし、内側部材の外側面をメッシュ状面として、内外部材のメッシュ状面同士を接触させて嵌め合わせる。そうすると、メッシュ状面同士の接触によって摩擦力が得られるので、接着剤を用いたり、加熱したりすることなく、内外の部材が接合される。
加えて、前記構成によってメッシュ状面は内側に隠される、外から見える外側部材の外側面と内側部材の内側面は平滑面となり、良好な外観が得られる。
請求項２の発明においては、内外部材の接合部が閉塞されるので、接合状態が強固になる。
請求項３の発明においては、外側には凸部があり内側には段がない容器が得られる。前記凸部の形状は、糸尻状、脚状など任意である。
請求項３の発明は、非木質系パルプを原料とするので、廃棄資源の有効利用、そして森林資源の保護に寄与するものとなる。
【０００７】
【発明の実施の形態】
図に示す実施形態は、どんぶり形状に成形したものであり、図１はこの発明実施形態の断面図、図２は外側部材の斜視図、図３は内側部材の斜視図である。
図２に示す外側部材１の内側に図３に示す内側部材を嵌め合わせて、図１に示すどんぶりを構成する。前記外側部材１は内側面１１をメッシュ状面として外側面１２を平滑面としてあり、前記内側部材２は内側面２１を平滑面として外側面２２をメッシュ状面としてある。そして、前記外側部材１の内側面と内側部材の外側面とは密着する形状、大きさとしてある。
前記内側部材２の口部にはフランジ２３が形成してあり、外側部材１の口縁１３が前記フランジ２３の下面に当接するようにしてある。また、前記外側部材１の底部外側には糸尻状の凸部１４が形成してあり、内側部材２の底部には凹凸部は形成していない。
【０００８】
上記のように構成された外側部材１の内側に内側部材２を嵌め合わせると、外側部材１と内側部材２のメッシュ状面同士が面接触するので、該部に大きな摩擦力が生じる。そのために、どんぶりとしての通常の使用において、内外の部材が分離することなく、接合状態が保持される。
加えて、メッシュ状面は嵌め合わせ部に隠れて外から見えず、外に表れる面は平滑面であるから、内外共に平滑な面をもち好ましい外観が得られる。
【０００９】
前記内外部材の嵌め合わせ時において、上記構成とは異なり平滑面同士を接触させるようにするならば、重ね合わせ部に空気が残るために内側部材が少し浮いてしまい、完全に嵌め合わせることが難しい。しかるに、細かな凹凸が形成されているメッシュ状面同士を接触させるようにしてあるので、空気が逃げることができ、内外部材を容易に完全に嵌め合わせることができる。
そして、両部材を完全にはめあわせたとき、内側部材２のフランジ１３に外側部材１の口縁が当接するので、嵌め合わせ部への空気の流通は可及的に阻止される。したがって、強固な接合状態が得られる。
【００１０】
上記内外部材の嵌め合わせは、容器の製造工場で行うこともできるが、内側部材と外側部材とを個別に出荷して、飲食店などこの容器を使用する現場で嵌め合わせることもできる。
【００１１】
更に、この実施形態においては外側容器に糸尻状の凸部を設けたので、陶器製のどんぶりと同様に糸尻部分に指をかけて容器を保持することができ、かつ内側部材に凹凸はないので、陶器製のどんぶりと同様に内容物を食することができる。
【００１２】
この発明におけるパルプは木質パルプでもよいが、森林資源の保護及び従来廃棄されていた資源の活用の観点から、ケナフなど非木質系パルプを用いることが好ましい。
そして、この発明の容器を用いることにより、以下に示すような環境保全に資することができる。
【００１３】
この発明の容器を飲食店（主にファストフード店）で、使い捨て容器として使用する。
この場合、飲食店ではこの容器を可燃ゴミとして処理する場合と、後に述べるようにリサイクルに回す場合とが想定できる。好ましくはリサイクルに回すことであるが、可燃ゴミとして処理する場合においても、飲食店では食器を洗浄する必要がなく、容器と残飯とをそのまま可燃ゴミとして処理することができる。
そのために、洗浄によって下水に流される汚水を減少することができる。更に、全ての食器にこの発明の容器を採用するならば、洗浄設備が不要となる。その結果、飲食店では店舗スペースを有効に活用することができる。
【００１４】
この発明の容器の容器はパルプであり、これを飲食店で使用した場合の残飯は全て自然素材であるから、これらをリサイクルに回して発酵処理することによって有機肥料を得ることができる。
ところが、一般に、飲食店の残飯などの生ゴミは塩分が多く、塩分が発酵の妨げとなっている。しかるに、生ゴミ中にこの発明の容器の原料であるパルプが加わることにより、パルプが発酵促進剤としてはたらくので、効率よく有機肥料を得ることができる。
すなわち、この発明の容器が飲食店における残飯の有機肥料化の要として機能することとなる。
【００１５】
この発明の容器は、用途に応じて適宜の形状に成形することができることは勿論、内外の部材の厚さ、強度、素材を適宜選択して、用途に適した容器とすることができる。
また、パルプに代えて生分解性プラスチックを使用することもでき、大豆かすなどの植物性原料を用いた生分解性プラスチックを使用した場合には、上記実施形態の容器と同様に、有機肥料の発酵促進剤として機能する。
【００１６】
【発明の効果】
この発明によれば、外側部材と内側部材とを嵌め合わせて容器としたので、洋子の外形に所望の凹凸を形成した場合においても、その凹凸が容器の内側には表れない。
そして、内外の部材のメッシュ状面を合わせたので、内外部材の間に大きな摩擦力が得られる。したがって、接着剤を用いたりプレス加工することなく、内外部材を接合することができる。
更に、材として、パルプや植物素材の生分解性プラスチックを使用すると、残飯と共に発酵させることができ、使用後のリサイクルにより有機肥料を得ることができる。
【図面の簡単な説明】
【図１】この発明実施形態の断面図
【図２】同じく外側部材の斜視図
【図３】同じく内側部材の斜視図
【符号の説明】
１    外側部材
１１    内側面
１２    外側面
１３    外側部材の口縁
１４    凸部
２    内側部材
２１  内側面
２２  外側面
２３  フランジ
【図１】
2004331122.tif 000003
【図２】
2004331122.tif 000004
【図３】
2004331122.tif 000005